(57)【特許請求の範囲】
【請求項１】
少なくとも、左側辺と、右側辺と、後側辺と、を有する台座と、
前記台座に設けられており、スキー板と連結して位置決め可能な接合構造と、
左支持部材と、右支持部材と、を含み、前記左支持部材は、前記左側辺から前記後側辺の左半部へ斜め上に延び、前記右支持部材は、前記右側辺から前記後側辺の右半部へ斜め上に延び、前記左支持部材の前記台座の前記後側辺に位置する一端と、前記右支持部材の前記台座の前記後側辺に位置する一端とが離間している支持構造と、
前記台座の前記後側辺の上方に位置し、その一端の両側が、前記左支持部材の上端と、前記右支持部材の上端とに、それぞれ連接する足首寄り板と、
前記台座の上方に位置し、その両端が前記台座の前記左側辺と前記右側辺とにそれぞれ連接し、前記台座との間にスキーブーツを入れ可能な空間が形成されている固定構造と、を含み、
前記左支持部材の前記一端と前記右支持部材の前記一端とは、互いに対向し、隙間を形成し、前記隙間は前記台座の後側の４／５より小さいことを特徴とする、
スキーブーツ固定台。
【請求項２】
前記左支持部材は、金属フレームと、受け部材と、を含み、前記金属フレームは、ほぼ鈍角三角形を呈し、底辺を有し、前記底辺は、前記台座の前記左側辺にほぼ平行するように、前記左側辺に固定されており、前記金属フレームは、更に、前記底辺との間の角度が鈍角である支持辺と、前記底辺と前記支持辺を連接する延び辺と、を有し、前記支持辺がより前記台座の前記後側辺に近接し、前記延び辺がより前記台座の前記後側辺から遠く離れ、前記底辺、前記支持辺及び前記延び辺は、金属製であり、条状を呈し、前記受け部材は、前記金属フレームの前記底辺から遠く離れる一端に設けられており、前記足首寄り板と連接可能であることを特徴とする、請求項１に記載のスキーブーツ固定台。
【請求項３】
前記左支持部材は、更に、左連接板を含み、前記左連接板は、前記金属フレームに組み付けられており、前記台座に選択的かつ調整可能に連接されており、前記台座に円弧形挿通溝が設けられており、前記左連接板は、枢着機構を介して前記円弧形挿通溝を挿通し、前記台座に選択的かつ調整可能に連接されていることを特徴とする、請求項２に記載のスキーブーツ固定台。
【請求項４】
前記右支持部材は、金属フレームと、受け部材と、を含み、前記金属フレームは、ほぼ鈍角三角形を呈し、底辺を有し、前記底辺は、前記台座の前記右側辺にほぼ平行するように、前記右側辺に固定されており、前記金属フレームは、更に、前記底辺との間の角度が鈍角である支持辺と、前記底辺と前記支持辺を連接する延び辺と、を有し、前記支持辺がより前記台座の前記後側辺に近接し、前記延び辺がより前記台座の前記後側辺から遠く離れ、前記底辺、前記支持辺及び前記延び辺は、金属製であり、条状を呈し、前記受け部材は、前記金属フレームの前記底辺から遠く離れる一端に設けられており、前記足首寄り板と連接可能であることを特徴とする、請求項１に記載のスキーブーツ固定台。
【請求項５】
前記右支持部材は、更に、右連接板を含み、前記右連接板は、前記金属フレームに組み付けられており、前記台座に選択的かつ調整可能に連接されており、前記台座に円弧形挿通溝が設けられており、前記右連接板は、枢着機構を介して前記円弧形挿通溝を挿通し、前記台座に選択的かつ調整可能に連接されていることを特徴とする、請求項４に記載のスキーブーツ固定台。
【請求項６】
前記足首寄り板は、左寄り板と、右寄り板と、を含み、前記左寄り板と前記右寄り板とは、その形状が互いに対称し、互いに脱着可能であり、前記左寄り板の底部は、前記左支持部材に脱着可能に連接されており、前記右寄り板の底部は、前記右支持部材に脱着可能に連接されており、前記足首寄り板はほぼ逆のＵ字状を呈し、前記左寄り板のその上部に近接する右側と、前記右寄り板のその上部に近接する左側とは、互いに脱着可能に結合することを特徴とする、請求項１に記載のスキーブーツ固定台。
【請求項７】
前記台座は、前台座と、左台座と、右台座と、を含み、前記前台座、前記左台座及び前記右台座は、独立な部材であり、互いに離間するように分離し、前記左台座と前記右台座とは、それぞれ前記接合構造の両側に設けられており、前記接合構造は、撓み可能なものであり、前記足首寄り板と前記前台座との間に位置し、前記左支持部材の一端は、前記左台座及び前記前台座の左側と連接し、前記右支持部材の一端は、前記右台座及び前記前台座の右側と連接することを特徴とする、請求項１に記載のスキーブーツ固定台。
【請求項８】
前記左台座は、前記左支持部材に回動可能かつ調整可能に連接されており、前記右台座は、前記右支持部材に回動可能かつ調整可能に連接されていることを特徴とする、請求項７に記載のスキーブーツ固定台。
【請求項９】
前記支持構造は、更に、リンクを含み、前記リンクは、前記左支持部材の前記一端と前記右支持部材の前記一端とにそれぞれ枢着されていることを特徴とする、請求項１に記載のスキーブーツ固定台。
【請求項１０】
前記隙間は、前記台座の後側の１／２より小さいことを特徴とする、請求項１に記載のスキーブーツ固定台。
【発明の詳細な説明】
【技術分野】
【０００１】
本発明は、スキーブーツ固定台に関するものである。
【背景技術】
【０００２】
従来のスキーブーツは、スキー板に直接に固定しないことが一般的であり、スキーブーツ固定台を介してスキー板に固定する。従来のスキーブーツ固定台は、例えば特許文献１の米国特許ＵＳ  ２００９／０１７４１７２号、特許文献２の台湾特許２５７９９１号、特許文献３の台湾特許２９８０９０号、特許文献４の台湾特許３０５２２２号、特許文献５の台湾特許３１２９９８号及び特許文献６の台湾特許５２１６３６号がある。これらのスキーブーツ固定台は、台座と、足首寄り板と、紐と、を含む。足首寄り板は、前記台座の後端の上方に設けられている。スキーブーツの足首部は、足首寄り板に当接可能である。紐により、スキーブーツと台座をしっかり固定可能である。
【０００３】
従来の足首寄り板は、台座の後側辺に直接に連接されており、左右の側辺に更に延びる。ユーザの足首が左右に捩れるときに、足首寄り板が台座を連動して両者が共にスイングするため、バランスが破壊され、或いは、台座により、足首寄り板のスイング程度が制限される。このため、ファンシースキーの動作が制限される。そしてユーザの足首が左右に捩れるが、台座により、足首寄り板のスイング程度が制限されるため、足首寄り板とユーザの足首とが互いに逸脱して、足首に対する保護が減少し、ユーザが怪我しやすい。
【先行技術文献】
【特許文献】
【０００４】
【特許文献１】米国特許ＵＳ２００９／０１７４１７２号公報
【特許文献２】台湾特許２５７９９１号公報
【特許文献３】台湾特許２９８０９０号公報
【特許文献４】台湾特許３０５２２２号公報
【特許文献５】台湾特許３１２９９８号公報
【特許文献６】台湾特許５２１６３６号公報
【発明の概要】
【発明が解決しようとする課題】
【０００５】
本発明の目的は、左右に捩れることに対する鋭敏度が高く、スキーの動作を制限しないスキーブーツ固定台を提供することにある。  
【課題を解決するための手段】
【０００６】
本発明のスキーブーツ固定台によると、少なくとも、左側辺と、右側辺と、後側辺と、を有する台座と、台座に設けられており、スキー板と連結して位置決め可能な接合構造と、左支持部材と、右支持部材と、を含み、左支持部材は、左側辺から後側辺の左半部へ斜め上に延び、右支持部材は、右側辺から後側辺の右半部へ斜め上に延び、左支持部材の台座の後側辺に位置する一端と、右支持部材の台座の後側辺に位置する一端とは、予定距離で離間する支持構造と、台座の後側辺の上方に位置し、その一端の両側が、左支持部材の上端と、右支持部材の上端とに、それぞれ連接する足首寄り板と、台座の上方に位置し、その両端が台座の左側辺と右側辺とにそれぞれ連接し、台座との間にスキーブーツを入れ可能な空間が形成されている固定構造と、を含み、左支持部材の一端と右支持部材の一端とは、互いに対向し、隙間を形成し、隙間は台座の後側の４／５より小さいことを特徴とする。
【０００７】
本発明のスキーブーツ固定台によると、左支持部材は、金属フレームと、受け部材と、を含み、金属フレームは、ほぼ鈍角三角形を呈し、底辺を有し、底辺は、台座の左側辺にほぼ平行するように、左側辺に固定されており、金属フレームは、更に、底辺との間の角度が鈍角である支持辺と、底辺と支持辺を連接する延び辺と、を有し、支持辺がより台座の後側辺に近接し、延び辺がより台座の後側辺から遠く離れ、底辺、支持辺及び延び辺は、金属製であり、条状を呈し、受け部材は、金属フレームの底辺から遠く離れる一端に設けられており、足首寄り板と連接可能であることを特徴とする。
【０００８】
本発明のスキーブーツ固定台によると、左支持部材は、更に、左連接板を含み、左連接板は、金属フレームに組み付けられており、台座に選択的かつ調整可能に連接されており、台座に円弧形挿通溝が設けられており、左連接板は、枢着機構を介して円弧形挿通溝を挿通し、台座に選択的かつ調整可能に連接されていることを特徴とする。
【０００９】
本発明のスキーブーツ固定台によると、右支持部材は、金属フレームと、受け部材と、を含み、金属フレームは、ほぼ鈍角三角形を呈し、底辺を有し、底辺は、台座の右側辺にほぼ平行するように、右側辺に固定されており、金属フレームは、更に、底辺との間の角度が鈍角である支持辺と、底辺と支持辺を連接する延び辺と、を有し、支持辺がより台座の後側辺に近接し、延び辺がより台座の後側辺から遠く離れ、底辺、支持辺及び延び辺は、金属製であり、条状を呈し、受け部材は、金属フレームの底辺から遠く離れる一端に設けられており、足首寄り板と連接可能であることを特徴とする。
【００１０】
本発明のスキーブーツ固定台によると、右支持部材は、更に、右連接板を含み、右連接板は、金属フレームに組み付けられており、台座に選択的かつ調整可能に連接されており、台座に円弧形挿通溝が設けられており、右連接板は、枢着機構を介して円弧形挿通溝を挿通し、台座に選択的かつ調整可能に連接されていることを特徴とする。
【００１１】
本発明のスキーブーツ固定台によると、足首寄り板は、左寄り板と、右寄り板と、を含み、左寄り板と右寄り板とは、その形状が互いに対称し、互いに脱着可能であり、左寄り板の底部は、左支持部材に脱着可能に連接されており、右寄り板の底部は、右支持部材に脱着可能に連接されており、足首寄り板はほぼ逆のＵ字状を呈し、左寄り板のその上部に近接する右側と、右寄り板のその上部に近接する左側とは、互いに脱着可能に結合することを特徴とする。
【００１２】
本発明のスキーブーツ固定台によると、台座は、前台座と、左台座と、右台座と、を含み、前台座、左台座及び右台座は、独立な部材であり、互いに離間するように分離し、左台座と右台座とは、それぞれ接合構造の両側に設けられており、接合構造は、撓み可能なものであり、足首寄り板と前台座との間に位置し、左支持部材の一端は、左台座及び前台座の左側と連接し、右支持部材の一端は、右台座及び前台座の右側と連接することを特徴とする。
【００１３】
本発明のスキーブーツ固定台によると、左台座は、左支持部材に回動可能かつ調整可能に連接されており、右台座は、右支持部材に回動可能かつ調整可能に連接されていることを特徴とする。
【００１４】
本発明のスキーブーツ固定台によると、支持構造は、更に、リンクを含み、リンクは、左支持部材の一端と右支持部材の一端とにそれぞれ枢着されていることを特徴とする。
【００１５】
本発明のスキーブーツ固定台によると、隙間は、台座の後側の１／２より小さいことを特徴とする。
【発明の効果】
【００１６】
本発明のスキーブーツ固定台によれば、次のような効果がある。
（１）左右に捩れることに対する鋭敏度が高く、スキーの動作を制限しない。
【００１７】
（２）スキーブーツ固定台は、軽量であり、弾性が良く、必要によって足首寄り板を交換可能であるため、スキーの動作を行いやすく、足首が良く保護されて怪我を回避可能である。
【図面の簡単な説明】
【００１８】
【図１】本発明の一実施形態を示す斜視図である。
【図２】本発明の一実施形態を示す分解斜視図である。
【図３】本発明の一実施形態を示す背面図である。
【図３Ａ】図３の一部を示す図である。
【図４】本発明の一実施形態の一部を示す平面図である。
【図５】本発明の一実施形態の使用状態を示す模式図である。
【発明を実施するための形態】
【００１９】
以下、本発明の実施の形態を図面に基づいて説明する。
【００２０】
図１から図５を参照する。図１は本発明の一実施形態を示す斜視図であり、図２は本発明の一実施形態を示す分解斜視図であり、図３は本発明の一実施形態を示す背面図であり、図３Ａは図３の一部を示す図であり、図４は本発明の一実施形態の一部を示す平面図であり、図５は本発明の一実施形態の使用状態を示す模式図である。
本実施形態に係るスキーブーツ固定台は、台座１０と、接合構造２０と、支持構造３０と、足首寄り板４０と、固定構造５０と、を含む。本実施形態に係るスキーブーツ固定台により、スキー板にスキーブーツを固定可能である。
【００２１】
台座１０は、少なくとも、左側辺と、右側辺と、後側辺と、を有する。具体的には、台座１０は、前台座１１と、後台座と、を含む。回動構造６０は、前台座１１と後台座との間に設けられている。接合構造２０は台座１０に設けられている。接合構造２０により、スキー板を結合して位置決め可能である。
【００２２】
支持構造３０は、左支持部材３１と、右支持部材３２と、を含む。左支持部材３１は、左側辺から後側辺の左半部へ斜め上に延びる。右支持部材３２は、右側辺から後側辺の右半部へ斜め上に延びる。左支持部材３１の台座１０の後側辺に位置する一端と、右支持部材３２の台座１０の後側辺に位置する一端とは、予定距離で離間する。
左支持部材３１の一端と右支持部材３２の一端とは、互いに対向し、隙間３４を形成する。隙間３４は、台座１０の後側の４／５より小さい（台座１０の後側の１／２より小さいことが好ましい。）。このため、左支持部材３１と右支持部材３２とにより、ユーザの足首が良く支持され、そして各種類のスキーブーツとの互換性が良くなる。
【００２３】
具体的には、左支持部材３１は、金属フレーム３１１と、受け部材３１２と、を含む。金属フレーム３１１は、ほぼ鈍角三角形を呈し、底辺を有する。前記底辺は、台座１０の左側辺にほぼ平行するように、左側辺に固定されている。金属フレーム３１１は、更に、前記底辺との間の角度が鈍角である支持辺と、前記底辺と前記支持辺を連接する延び辺と、を有する。前記支持辺はより台座１０の後側辺に近接する。前記延び辺はより台座１０の後側辺から遠く離れる。前記底辺、前記支持辺及び前記延び辺は、金属製であり、条状やチューブ状を呈する。受け部材３１２は、金属フレーム３１１の前記底辺から遠く離れる一端に設けられており、足首寄り板４０と連接可能である。
同じように、右支持部材３２は、金属フレーム３２１と、受け部材３２２と、を含む。金属フレーム３２１は、ほぼ鈍角三角形を呈し、底辺を有する。前記底辺は、台座１０の右側辺にほぼ平行するように、右側辺に固定されている。金属フレーム３２１は、更に、前記底辺との間の角度が鈍角である支持辺と、前記底辺と前記支持辺を連接する延び辺と、を有する。前記支持辺はより台座１０の後側辺に近接する。前記延び辺はより台座１０の後側辺から遠く離れる。前記底辺、前記支持辺及び前記延び辺は、金属製であり、条状やチューブ状を呈する。受け部材３２２は、金属フレーム３２１の前記底辺から遠く離れる一端に設けられており、足首寄り板４０と連接可能である。
すなわち、単一の一体式の支持部材の代わりに、左支持部材３１と右支持部材３２とが採用される。左支持部材３１と右支持部材３２とは、離間するように台座１０の左右側に設けられており、台座１０の後側辺に延びる。
【００２４】
左支持部材３１は、更に、左連接板３１３を含む。左連接板３１３は、金属フレーム３１１に組み付けられており、台座１０に選択的かつ調整可能に連接されている。台座１０に円弧形挿通溝１４が設けられている。左連接板３１３は、枢着機構１５を介して円弧形挿通溝１４を挿通し、台座１０に選択的かつ調整可能に連接されている。
右支持部材３２は、更に、右連接板３２３を含む。右連接板３２３は、金属フレーム３２１に組み付けられており、台座１０に選択的かつ調整可能に連接されている。台座１０に円弧形挿通溝１６が設けられている。右連接板３２３は、枢着機構１７を介して円弧形挿通溝１６を挿通し、台座１０に選択的かつ調整可能に連接されている。
【００２５】
台座１０は、前台座１１と、左台座１２と、右台座１３と、を含み、前台座１１、左台座１２及び右台座１３は、独立な部材であり、互いに離間するように分離することが好ましい。左台座１２と右台座１３とは、それぞれ接合構造２０の両側に設けられている。接合構造２０は、撓み可能なものであり、足首寄り板４０と前台座１１との間に位置する。
左支持部材３１の一端は、左台座１２及び前台座１１の左側と連接する。右支持部材３２の一端は、右台座１３及び前台座１１の右側と連接する。左台座１２と右台座１３との間には、予定の幅を有する隙間が存在する。左台座１２は、左支持部材３１の左連接板３１３に回動可能かつ調整可能に連接されている。右台座１３は、右支持部材３２の右連接板３２３に回動可能かつ調整可能に連接されている。支持構造３０は、更に、リンク３３を含む。リンク３３は、左支持部材３１の一端と右支持部材３２の一端とにそれぞれ枢着されている。これにより、台座１０をより大きい範囲内に調整可能である。
【００２６】
足首寄り板４０は、台座１０の後側辺の上方に位置し、その一端の両側が、左支持部材３１の上端と、右支持部材３２の上端とに、それぞれ連接する。具体的には、足首寄り板４０は、左寄り板４１と、右寄り板４２と、を含む。
左寄り板４１と右寄り板４２とは、その形状が互いに対称し、互いに脱着可能である。左寄り板４１の底部は、左支持部材３１に脱着可能に連接されている。右寄り板４２の底部は、右支持部材３２に脱着可能に連接されている。足首寄り板４０はほぼ逆のＵ字状を呈し、左寄り板４１のその上部に近接する右側と、右寄り板４２のその上部に近接する左側とは、互いに脱着可能に結合することが好ましい。これにより、必要によって一つだけの寄り板を交換して、足首寄り板が非対称となり、ファンシースキーの特殊の動作をすることが可能である。
【００２７】
固定構造５０は、台座１０の上方に位置し、その両端が台座１０の左側辺と右側辺とにそれぞれ連接する。これにより、固定構造５０と台座１０との間にスキーブーツを入れられる空間が形成されている。固定構造５０により、台座１０に、前記空間に収容されるスキーブーツをしっかり固定可能である。具体的には、固定構造５０は紐である。本実施形態では、固定構造５０の両端は、左支持部材３１と右支持部材３２とにそれぞれ連結されており、ひいては台座１０の左側辺と右側辺とに間接に連結されている。
【００２８】
次に、本実施形態の使用方法を説明する。前記空間にスキーブーツを差し込んで、固定構造５０により台座１０に前記スキーブーツを固定して、接合構造２０によりスキー板に台座１０を固定すると、取付作業が完成する。このとき、スキーをすることが可能である。ユーザの足首を左右側に捩れることにより、転向又はバランスを行うときには、足首寄り板４０を左右にスイングすることが必要であり、捩れ力が支持構造３０を経由して台座１０に伝えるが、支持構造３０が左支持部材３１と右支持部材３２とに分けられ、両者は、互いに離間しかつ独立であり、それぞれスイングして変形可能である。そして台座１０は左台座１２と右台座１３とに分けられ、両者が左支持部材３１と右支持部材３２とにそれぞれ連接し、接合構造２０が撓み可能なものであるため、左半部と右半部とのスイングの許容弾性が更に増加する。これにより、左支持部材３１と右支持部材３２とがより大きいスイング弾性を有するため、台座１０の足首寄り板４０に対する制限が少なくなり、足首の左右方への捩れ動作を容易に行うことが可能であり、ファンシースキーの動作をすることが容易となる。そして足首が足首寄り板４０に良く覆われるため、足首が良く保護されて怪我を回避可能である。
【００２９】
足首寄り板４０は、ツーピースの組合せ式であり、互いに脱着可能であるため、行いたい動作とよくスイングする方向とによって、左寄り板４１又は右寄り板４２を組合わせて利用することが可能である。これにより、対称しないが、必要を満足可能な足首寄り板を組合わせることが可能である。
【００３０】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【００３１】
本発明は、スキーブーツに適用することができる。
【符号の説明】
【００３２】
１０  台座
１１  前台座
１２  左台座
１３  右台座
１４、１６  円弧形挿通溝
１５、１７  枢着機構
２０  接合構造
３０  支持構造
３１  左支持部材
３２  右支持部材
３３  リンク
３４  隙間
４０  足首寄り板
４１  左寄り板
４２  右寄り板
５０  固定構造
６０  回動構造
３１１  金属フレーム
３１２  受け部材
３１３  左連接板
３２１  金属フレーム
３２２  受け部材
３２３  右連接板
【要約】      （修正有）【課題】左右に捩れることに対する鋭敏度が高く、スキーの動作を制限しないスキーブーツ固定台を提供する。【解決手段】左側辺と、右側辺と、後側辺と、を有する台座１０と、台座１０に設けられており、スキー板と連結する接合構造と、左支持部材３１と、右支持部材３２を含み、左支持部材３１は、左側辺から後側辺の左半部へ斜め上に延び、右支持部材３２は、右側辺から後側辺の右半部へ斜め上に延び、左支持部材３１の台座の後側辺に位置する一端と、右支持部材３２の台座の後側辺に位置する一端とは、予定距離で離間する支持構造３０と、台座の後側辺の上方に位置し、その一端の両側が、左支持部材３１の上端と、右支持部材３２の上端とに、それぞれ連接する足首寄り板４０と、台座の上方に位置し、その両端が台座の左側辺と右側辺とにそれぞれ連接し、台座との間にスキーブーツを入れ可能な空間が形成されている固定構造５０と、を含む。【選択図】図１【図１】
0006055030.tif 000002
【図２】
0006055030.tif 000003
【図３】
0006055030.tif 000004
【図３Ａ】
0006055030.tif 000005
【図４】
0006055030.tif 000006
【図５】
0006055030.tif 000007